(57)【要約】【課題】  店舗内に設置された複数台のショーケースの照明器の点灯・消灯時刻の変更を簡単に行える照明制御システムを提供する。【解決手段】  １０台のショーケース１０１〜１１０の照明器の点灯・消灯時刻を営業開始・終了時刻との時間差で設定しているので、時間差を予め定めておけば、営業開始・終了時刻が変更された場合でも変更となった営業開始・終了時刻のみを入力するだけで各ショーケース１０１〜１１０の照明器ＬＡ１，ＬＡ２の点灯・消灯時刻を簡単且つ確実に変更することができる。【選択図】  図９
2005214516.tif 000002
【特許請求の範囲】
【請求項１】
照明器と照明制御データに基づいて該照明器の点灯・消灯を制御可能な端末制御装置を備えた複数台のショーケースと、各ショーケースの端末制御装置に対して照明制御データを送信可能な集中制御装置とを具備した照明制御システムであって、
集中制御装置は、各ショーケースが設置された店舗の営業開始・終了時刻を設定するための営業時間設定手段と、各ショーケースの照明器の点灯・消灯時刻を営業開始・終了時刻との時間差で設定するための時間差設定手段と、営業時間設定手段で設定された営業開始・終了時刻と時間差設定手段で設定された時間差に基づいて各ショーケースの端末制御装置に対して照明制御データを送信する照明制御データ送信手段とを備える、
ことを特徴とする照明制御システム。
【請求項２】
集中制御装置は、複数台のショーケースを系統分けするための系統設定手段と、各系統をさらにブロック分けするためのブロック設定手段とを備え、
集中制御装置の時間差設定手段は営業開始・終了時刻との時間差を前記系統毎またはブロック毎に設定可能な機能を有する、
ことを特徴とする請求項１に記載の照明制御システム。
【請求項３】
各ショーケースの照明器は出力系統が異なる２以上の照明器から成り、
集中制御装置の時間差設定手段は営業開始・終了時刻との時間差を照明器系統毎に設定可能な機能を有する、
ことを特徴とする請求項１または２に記載の照明制御システム。
【請求項４】
集中制御装置は、各ショーケースの照明器の点灯・消灯を手動で操作するための照明操作手段を備え、
各ショーケースは、自らの照明器の点灯・消灯を手動で操作するための個別照明操作手段と、照明制御データによって照明器の点灯・消灯が制御されている状態で個別照明操作手段によって照明器の点灯・消灯が変更されたときにこの変更に従って照明器を点灯または消灯させる照明変更手段とを備える、
ことを特徴とする請求項１〜３の何れか１項に記載の照明制御システム。
【発明の詳細な説明】
【技術分野】
【０００１】
本発明は、店舗内に設置された複数台のショーケースの照明を制御するための照明制御システムに関する。
【背景技術】
【０００２】
スーパーマーケット等の店舗内には照明器を備えたショーケース、例えば前面開口タイプの冷蔵冷凍ショーケースやドア開閉タイプの冷蔵冷凍ショーケース等が適宜レイアウトで複数台設置され、これらショーケースの照明は一般に部外者立入禁止の管理室等に置かれた集中制御装置により制御されている。
【０００３】
照明制御方法としては、予め設定された点灯・消灯時刻に準じてショーケースの照明器の点灯・消灯を一括で制御する方法や、前記点灯・消灯時刻をカレンダーの日付に割り当ててこの月間スケジュールに準じてショーケースの照明器の点灯・消灯を一括で制御する方法が知られている。
【特許文献１】特開２００１−２７２１６１号公報
【特許文献２】特開２００１−２４５７５７号公報
【発明の開示】
【発明が解決しようとする課題】
【０００４】
店舗内に設置された各ショーケースには営業開始前や営業終了後に商品入れ替えや商品補充やレイアウト変更等の作業が施されるため、通常はこの作業時間を考慮した上で、照明器の点灯時刻を営業開始時刻よりも早い時刻に設定し、且つ、消灯時刻を営業終了時刻よりも遅い時刻に設定している。
【０００５】
店舗の営業開始・終了時刻は月，日，曜日，祝祭日，季節等や店舗側の都合によって変更されることが多々あり、これに追従するには多種類の点灯・消灯時刻を用意しておきその中から適当な点灯・消灯時刻を選択できるようにしておくか、或いは、変更の度に点灯・消灯時刻を設定し直す必要がある。
【０００６】
しかし、前者のケースでは予想される営業開始・終了時刻に基づいて多種類の点灯・消灯時刻を予め設定する必要があるため、設定作業が面倒で適切な点灯・消灯時刻を定めることが難しい不具合があると共に、点灯・消灯時刻を設定する際に選択ミスを生じる恐れもある。また、前者のケースでは変更の度に営業開始・終了時刻に所定時間を加減算したものを点灯・消灯時刻として定める面倒があると共に、加減算にミスを生じ易いことから点灯・消灯に時刻ズレが生じる恐れもある。
【０００７】
本発明は前記事情に鑑みて創作されたもので、その目的とするところは、店舗内に設置された複数台のショーケースの照明器の点灯・消灯時刻の変更を簡単且つ確実に行える照明制御システムを提供することにある。
【課題を解決するための手段】
【０００８】
前記目的を達成するため、本発明は、照明器と照明制御データに基づいて該照明器の点灯・消灯を制御可能な端末制御装置を備えた複数台のショーケースと、各ショーケースの端末制御装置に対して照明制御データを送信可能な集中制御装置とを具備した照明制御システムであって、集中制御装置は、各ショーケースが設置された店舗の営業開始・終了時刻を設定するための営業時間設定手段と、各ショーケースの照明器の点灯・消灯時刻を営業開始・終了時刻との時間差で設定するための時間差設定手段と、営業時間設定手段で設定された営業開始・終了時刻と時間差設定手段で設定された時間差に基づいて各ショーケースの端末制御装置に対して照明制御データを送信する照明制御データ送信手段とを備える、ことをその特徴とする。
【０００９】
この照明制御システムによれば、各ショーケースの照明器の点灯・消灯時刻を営業開始・終了時刻との時間差で設定しているので、時間差を予め定めておけば、営業開始・終了時刻が変更された場合でも変更となった営業開始・終了時刻のみを入力するだけで各ショーケースの照明器の点灯・消灯時刻を簡単且つ確実に変更できる。
【発明の効果】
【００１０】
本発明によれば、店舗内に設置された複数台のショーケースの照明器の点灯・消灯時刻の変更を簡単且つ確実に行うことができる。
【００１１】
本発明の前記目的とそれ以外の目的と、構成特徴と、作用効果は、以下の説明と添付図面によって明らかとなる。
【発明を実施するための最良の形態】
【００１２】
以下に、図１を参照して、照明制御システムの全体構成について説明する。
【００１３】
図１に示した照明制御システムは１０台のショーケースと２台の室外機と１台の集中制御装置とを備えており、図中の１０１〜１１０はショーケース、ＴＣＵ１〜ＴＣＵ１０は各ショーケース１０１〜１１０に内蔵された端末制御装置、２０１，２０２は室外機、ＯＵ１，ＯＵ２は各室外機２０１，２０２に内蔵された端末制御装置、ＣＣＵは集中制御装置、ＲＰは各室外機２０１，２０２から各ショーケース１０１〜１１０に至る冷媒管、ＳＬは集中制御装置ＣＣＵと各ショーケース１０１〜１１０の端末制御装置ＴＣＵ１〜ＴＣＵ１０並びに各室外機２０１，２０２の端末制御装置ＯＵ１，ＯＵ２とを結ぶ通信線である。
【００１４】
各ショーケース１０１〜１１０は前面開口タイプの冷凍冷蔵ショーケースであり、展示商品を所定温度で冷凍または冷蔵保存するのに必要な機器、具体的には庫内冷却用の膨張弁付き蒸発器（図示省略），蒸発器で冷却された空気を庫内循環させるための送風機（図示省略），冷媒管ＲＰから蒸発器への冷媒流入を制御する電磁弁（図示省略），庫内温度を検出するための温度センサ等を備えている。また、各ショーケース１０１〜１１０は出力系統な異なる２つの照明器、即ち、商品展示室を照明するための蛍光灯等の庫内照明器ＬＡ１と、商品展示室以外に設けられた広告板等を照明するための蛍光灯等の庫外照明器ＬＡ２とを備えている。図１には冷凍冷蔵ショーケースとして前面開口タイプのものを例示してあるが、タイプが異なる冷凍冷蔵ショーケース、例えばドア開閉タイプの冷凍冷蔵ショーケース等が一部に含まれていてもよく、また、全てが前面開口タイプとは異なるタイプの冷凍冷蔵ショーケースであっても構わない。
【００１５】
また、各室外機２１０，２０２は圧縮機，凝縮器及び凝縮器用送風機等（何れも図示省略）をそれぞれ有しており、１０台のショーケース１０１〜１１０のうちの５台のショーケース１０１〜１０５の蒸発器には一方の室外機２０１の圧縮機から冷媒管ＲＰを介して冷媒を送り込んで循環させることが可能であり、残りの５台のショーケース１０６〜１１０の蒸発器には他方の室外機２０２の圧縮機から冷媒管ＲＰを介して冷媒を送り込んで循環させることが可能である。
【００１６】
以下に、図２を参照して、図１に示した集中制御装置ＣＣＵと各室外機２０１，２０２の端末制御装置ＯＵ１，ＯＵ２と各ショーケース１０１〜１１０の端末制御装置ＴＣＵ１〜ＴＣＵ１０の内部構成について説明する。
【００１７】
集中制御装置ＣＣＵは、コンピュータ構成の制御部３０１ａと、設定部３０１ｂと、表示部３０１ｃと、異常発生を音と光により報知する警報器３０１ｄと、シリアルインターフェースから成る通信部３０１ｅと、メモリカードアダプタ３０１ｆとを備える。
【００１８】
また、集中制御装置ＣＣＵは図３に示す操作パネルを有していて、この操作パネルには、液晶ディスプレイ等から成る画面３１１と、画面３１１の下側に配置された３つの画面切換ボタン３１２，３１３，３１４と、画面３１１内でカーソルを上下左右に移動させるためのカーソルボタン３１５と、入力内容の選択を行う選択ボタン３１６と、選択された入力内容の確定を行う確定ボタン３１７と、選択された入力内容のキャンセルを行うキャンセルボタン３１８が設けられている。ちなみに、画面切換ボタン３１２，３１３，３１４とカーソルボタン３１５と選択ボタン３１６と確定ボタン３１７とキャンセルボタン３１８は前記設定部３０１ｂに相当し、画面３１１は前記表示部３０１ｃに相当する。
【００１９】
各室外機２０１，２０２の端末制御装置ＯＵ１，ＯＵ２は、コンピュータ構成の制御部２０１ａ，２０２ａと、ボタン及びスイッチ等から成る設定部２０１ｂ，２０２ｂと、液晶ディスプレイ等から成る表示部２０１ｃ，２０２ｃと、各室外機２１０，２０２に設けられた圧縮機及び凝縮器用送風機等の駆動を行う温調駆動部２０１ｄ，２０２ｄと、シリアルインターフェースから成る通信部２０１ｅ，２０２ｅとを備える。
【００２０】
各ショーケース１０１〜１１０の端末制御装置ＴＣＵ１〜ＴＣＵ１０は、コンピュータ構成の制御部１０１ａ〜１１０ａと、設定部１０１ｂ〜１１０ｂと、表示部１０１ｃ〜１１０ｃと、シリアルインターフェースから成る通信部１０１ｄ〜１１０ｄと、庫外照明器ＬＡ１用の照明器駆動部１０１ｅ〜１１０ｅと、庫外照明器ＬＡ２用の照明器駆動部１０１ｆ〜１１０ｆと、各ショーケース１０１〜１１０に設けられた送風機及び電磁弁等の駆動を行う温調機駆動部１０１ｇ〜１１０ｇとを備える。
【００２１】
また、各ショーケース１０１〜１１０の端末制御装置ＴＣＵ１〜ＴＣＵ１０は図４に示す操作パネルを有していて、この操作パネルには、ＬＥＤ等から成る温度表示部１１１と、温度設定ボタン１１２と、庫内照明器ＬＡ１及び庫外照明器ＬＡ２を手動によって点灯または消灯させるための照明スイッチ１１３が設けられている。この照明スイッチ１１３は、押圧毎に「庫内照明器ＬＡ１のみ点灯」→「庫外照明器ＬＡ２のみ点灯」→「庫内照明器ＬＡ１及び庫外照明器ＬＡ２の両方を点灯」→「庫内照明器ＬＡ１及び庫外照明器ＬＡ２の両方を消灯」に順次切り換えることができる。ちなみに、温度設定ボタン１１２と照明スイッチ１１３は前記設定部１０１ｂ〜１１０ｂに相当し、温度表示部１１１は前記表示部１０１ｃ〜１１０ｃに相当する。
【００２２】
さらに、各ショーケース１０１〜１１０の庫外照明器ＬＡ１と庫外照明器ＬＡ２は制御部１０１ａ〜１１０ａからの制御信号と操作パネルの照明スイッチ１１３からの信号の何れによっても点灯または消灯することができる。この点については後に詳述する。
【００２３】
集中制御装置ＣＣＵの通信部３０１ｅと端末制御装置ＯＵ１，ＯＵ２の通信部２０１ｅ，２０２ｅ並びに端末制御装置ＴＣＵ１〜ＴＣＵ１０の通信部１０１ｄ〜１１０ｄは、通信線ＳＬを介して双方向の各種データ通信を可能としている。
【００２４】
集中制御装置ＣＣＵの制御部３０１ａは、システム全体の運転を制御するための各種プログラムを保存する他、表示部３０１ｃに表示されるデータや通信プロトコル等を保存している。この制御部３０１ａから各室外機２０１，２０２の端末制御装置ＯＵ１，ＯＵ２と各ショーケース１０１〜１１０端末制御装置ＴＣＵ１〜ＴＣＵ１０には通信線ＳＬを介して各々の制御上で必要なデータが送信される。
【００２５】
各室外機２０１，２０２の端末制御装置ＯＵ１，ＯＵ２の制御部２０１ａ，２０２ａは、各室外機２０１，２０２の運転等を制御するための各種プログラムを保存する他、表示部２０１ｃ，２０２ｃに表示されるデータや通信プロトコル等を保存している。また、各制御部２０１ａ，２０２ａから集中制御装置ＣＣＵには通信線ＳＬを介して各室外機２０１，２０２の運転状況を現す各種データが送信されこの送信データは集中制御装置ＣＣＵの制御部３０１ａに随時保存される。
【００２６】
各ショーケース１０１〜１１０の端末制御装置ＴＣＵ１〜ＴＣＵ１０の制御部１０１ａ〜１１０ａは、各ショーケース１０１〜１１０の運転を制御するための各種プログラムを保存する他、表示部１０１ｃ〜１１０ｃに表示されるデータや通信プロトコル等を保存している。また、各制御部１０１ａ〜１１０ａから集中制御装置ＣＣＵには通信線ＳＬを介して各ショーケース１０１〜１１０の運転状況を現す各種データが送信されこの送信データは集中制御装置ＣＣＵの制御部３０１ａに随時保存される。
【００２７】
前記システムでは各室外機２１０，２０２から冷媒管ＲＰを介して各ショーケース１０１〜１１０の蒸発器に冷媒を送りこみ、熱交換後の冷媒を冷媒管ＲＰを介して各室外機２１０，２０２に戻すと共に、各ショーケース１０１〜１１０に設けられた送風機によって蒸発器で冷却された空気を庫内循環させることによって展示商品の冷凍または冷蔵保存が実施される。各ショーケース１０１〜１１０における庫内温度は各々の温度センサによって検出され、各ショーケース１０１〜１１０の端末制御装置ＴＣＵ１〜ＴＣＵ１０は冷却制御用プログラムに従い温度センサの検出温度に基づいて各々の電磁弁を開閉させて庫内温度（商品温度）が一定に維持されるように制御し、また、各室外機２１０，２０２の端末制御装置ＯＵ１，ＯＵ２は冷却制御用プログラムに従い各ショーケース１０１〜１１０において前記冷却が適正に行えるように各々の圧縮機の運転を制御する。
【００２８】
以下に、図５〜図１０を参照して、図１〜図４を引用して説明した照明制御システムの照明制御に係わる設定手順について説明する。
【００２９】
まず、集中制御装置ＣＣＵの操作パネルの画面切換ボタン３１２を押して、画面３１１を図５に示す［照明系統設定］の画面に切り換える。
【００３０】
図５に示す［照明系統設定］の画面には、縦軸に系統１，系統２・・・が記され横軸に主子機と従子機が記され両者が交差する箇所に入力欄Ａ１１，Ａ１２が設けられた表が現れるので、全てのショーケースをその仕様や展示商品の種類や冷却温度等に基づいて系統分けする共に、同じ系統に含まれるショーケースの中から主子機と従子機を選択して確定する。
【００３１】
例えば、図５に示すように、操作パネルのカーソルボタン３１５の押圧操作によってカーソルを系統１の入力欄Ａ１１に移動させ、ここで系統１に属する８台のショーケース１０１〜１０８の中から主子機として選定したショーケース１０１の３桁番号を選択ボタン３１６の押圧操作によって選択し確定ボタン３１７の押圧操作によって確定すると共に、カーソルボタン３１５の押圧操作によってカーソルを系統１の入力欄Ａ１２に移動させ、ここで従子機として選定したショーケース１０２〜１０８の３桁番号を選択ボタン３１６の押圧操作によって順次選択し確定ボタン３１７の押圧操作によって確定する。
【００３２】
また、カーソルボタン３１５の押圧操作によってカーソルを系統２の入力欄Ａ１１に移動させ、ここで系統２に属する２台のショーケース１０９，１１０の中から主子機として選定したショーケース１０９の３桁番号を選択ボタン３１６の押圧操作によって選択し確定ボタン３１７の押圧操作によって確定すると共に、カーソルボタン３１５の押圧操作によってカーソルを系統２の入力欄Ａ１２に移動させ、ここで従子機として選定したショーケース１１０の３桁番号を選択ボタン３１６の押圧操作によって選択し確定ボタン３１７の押圧操作によって確定する。
【００３３】
ここでは１０台のショーケース１０１〜１１０を２系統に分けたが、３系統以上に分ける場合等も同様の作業を行う。画面に表示されていない系統欄を表示させるときには「系統切換」の表示Ａ１３に対応した画面切換ボタン３１４を押圧して画面切り換えを行う。
【００３４】
次に、集中制御装置ＣＣＵの操作パネルの画面切換ボタン３１２を再び押して、画面３１１を図６に示す［照明ブロック設定］の画面に切り換える。
【００３５】
図６に示す［照明ブロック設定］の画面には、系統別に縦軸にブロック１，ブロック２・・・が記され横軸に主子機と従子機が記され両者が交差する箇所に入力欄Ａ２１，Ａ２２が設けられた表が現れるので、各系統に属するショーケースをその仕様や展示商品の種類や冷却温度等に基づいてさらにブロック分けする共に、同じブロックに含まれるショーケースの中から主子機と従子機を選択して確定する。
【００３６】
例えば、図６に示すように、系統１のブロック設定を行う場合には、操作パネルのカーソルボタン３１５の押圧操作によってカーソルをブロック１の入力欄Ａ２１に移動させ、ここでブロック１に属する６台のショーケース１０１〜１０６の中から主子機として選定したショーケース１０１の３桁番号を選択ボタン３１６の押圧操作によって選択し確定ボタン３１７の押圧操作によって確定すると共に、カーソルボタン３１５の押圧操作によってカーソルをブロック１の入力欄Ａ２２に移動させ、ここで従子機として選定したショーケース１０２〜１０６の３桁番号を選択ボタン３１６の押圧操作によって順次選択し確定ボタン３１７の押圧操作によって確定する。
【００３７】
また、カーソルボタン３１５の押圧操作によってカーソルをブロック２の入力欄Ａ２１に移動させ、ここでブロック２に属する２台のショーケース１０７，１０８の中から主子機として選定したショーケース１０７の３桁番号を選択ボタン３１６の押圧操作によって選択し確定ボタン３１７の押圧操作によって確定すると共に、カーソルボタン３１５の押圧操作によってカーソルをブロック２の入力欄Ａ２２に移動させ、ここで従子機として選定したショーケース１０８の３桁番号を選択ボタン３１６の押圧操作によって選択し確定ボタン３１７の押圧操作によって確定する。
【００３８】
図示を省略したが、系統２のブロック設定を行う場合には、「系統切換」の表示Ａ２３に対応した画面切換ボタン３１４を押圧して画面切り換えを行い、カーソルボタン３１５の押圧操作によってカーソルを系統２のブロック１の入力欄Ａ２１に移動させ、ここでブロック１に属する２台のショーケース１０９，１１０の中から主子機として選定したショーケース１０９の３桁番号を選択ボタン３１６の押圧操作によって選択し確定ボタン３１７の押圧操作によって確定すると共に、カーソルボタン３１５の押圧操作によってカーソルをブロック１の入力欄Ａ２２に移動させ、ここで従子機として選定したショーケース１１０の３桁番号を選択ボタン３１６の押圧操作によって選択し確定ボタン３１７の押圧操作によって確定する。
【００３９】
ここでは系統１に属する８台のショーケース１０１〜１０８を２ブロックの分け、系統２に属する２台のショーケース１０９，１１０を１ブロックに割り当てたが、系統１に属する８台のショーケース１０１〜１０８を３ブロック以上に分ける場合や系統２に属する２台のショーケース１０９，１１０を２ブロックに分ける場合にも同様の作業を行う。画面に表示されていないブロック欄を表示させるときには「ブロック切換」の表示Ａ２３に対応した画面切換ボタン３１３を押圧して画面切り換えを行い、また、画面に表示されていない系統欄を表示させるときには「系統切換」の表示Ａ２４に対応した画面切換ボタン３１４を押圧して画面切り換えを行う。
【００４０】
次に、集中制御装置ＣＣＵの操作パネルの画面切換ボタン３１２を再び押して、画面３１１を図７に示す［照明制御単位設定］の画面に切り換える。
【００４１】
図７に示す［照明制御単位設定］の画面には、縦軸に系統１，系統２・・・が記され横軸に庫内照明（ＬＡ１）と庫外照明（ＬＡ２）が記され両者が交差する箇所に入力欄Ａ３１，Ａ３２が設けられた表が現れるので、各系統に属するショーケースの庫内照明と庫外照明を系統単位で行うのかブロック単位で行うのかをそれぞれ選択して確定する。
【００４２】
例えば、図７に示すように、操作パネルのカーソルボタン３１５の押圧操作によってカーソルを系統１の入力欄Ａ３１に移動させ、ここで系統１に属する８台のショーケース１０１〜１０８の庫内照明（ＬＡ１）が系統単位となるよう選択ボタン３１６の押圧操作によって選択し確定ボタン３１７の押圧操作によって確定すると共に、カーソルボタン３１５の押圧操作によってカーソルを系統１の入力欄Ａ３２に移動させ、ここで系統１に属する８台のショーケース１０１〜１０８の庫外照明（ＬＡ２）がブロック単位となるように選択ボタン３１６の押圧操作によって選択し確定ボタン３１７の押圧操作によって確定する。これと同様に、カーソルボタン３１５の押圧操作によってカーソルを系統２の入力欄Ａ３１に移動させ、ここで系統２に属する２台のショーケース１０９，１１０の庫内照明（ＬＡ１）が系統単位となるよう選択ボタン３１６の押圧操作によって選択し確定ボタン３１７の押圧操作によって確定すると共に、カーソルボタン３１５の押圧操作によってカーソルを系統２の入力欄Ａ３２に移動させ、ここで系統２に属する２台のショーケース１０９，１１０の庫外照明（ＬＡ２）がブロック単位となるように選択ボタン３１６の押圧操作によって選択し確定ボタン３１７の押圧操作によって確定する。
【００４３】
ここでは２系統に対して照明制御単位を設定したが、３系統以上に分けた場合等も同様の作業を行う。画面に表示されていない系統欄を表示させるときには「系統切換」の表示Ａ３３に対応した画面切換ボタン３１４を押圧して画面切り換えを行う。
【００４４】
次に、集中制御装置ＣＣＵの操作パネルの画面切換ボタン３１２を再び押して、画面３１１を図８に示す［営業時間（週間）スケジュール設定］の画面に切り換える。
【００４５】
図８に示す［営業時間（週間）スケジュール設定］の画面には、縦軸に一括，曜日が記され横軸に営業開始，営業終了が記され両者が交差する箇所に入力欄Ａ４１，Ａ４２，Ａ４３が設けられた表が現れるので、一括（共通）の項目には店舗の標準的な営業開始・終了時刻を選択して確定すると共に一括を採用するか否かを選定し、曜日別の項目には曜日毎の営業開始・終了時刻を選択して確定する。
【００４６】
例えば、図８に示すように、操作パネルのカーソルボタン３１５の押圧操作によってカーソルを入力欄Ａ４１に移動させ、ここで一括の営業開始・終了時刻として９：００〜２１：００を選択ボタン３１６の押圧操作によって選択し確定ボタン３１７の押圧操作によって確定すると共に、営業開始・終了時刻として一括を採用するときにはカーソルボタン３１５の押圧操作によってカーソルを入力欄Ａ４２に移動させ選択ボタン３１６の押圧操作によって「設定」を選択し確定ボタン３１７の押圧操作によって確定する。ちなみに、一括を採用しないときには「非設定」を選択して確定する。
【００４７】
また、カーソルボタン３１５の押圧操作によってカーソルを入力欄Ａ４３に移動させ、曜日別の営業開始・終了時刻として９：００〜２０：００と１０：００〜２０：００とブランク（営業休止日）と９：００〜２０：３０と１０：００〜２０：００と１０：００〜２０：００と１０：００〜２０：００を選択ボタン３１６の押圧操作によって順次選択して確定する。
【００４８】
図示を省略してあるが、前記の営業時間スケジュール設定は、月単位、または、年単位で設定することができ、この場合には「設定単位切換」の表示Ａ４４に対応した画面切換ボタン３１４を押圧して画面切り換えを行ってから、前記同様の作業を行えばよい。
【００４９】
次に、集中制御装置ＣＣＵの操作パネルの画面切換ボタン３１２を再び押して、画面３１１を図９に示す［照明スケジュール設定（系統毎）］の画面に切り換える。
【００５０】
図９に示す［照明スケジュール設定（系統毎）］の画面には、先の照明系統設定（図５参照）で定めた系統毎に先の営業時間スケジュール設定（図８参照）で定めた営業時間に連動するか否かを選択して確定する入力欄Ａ５１と、連動を設定したときの点灯・消灯時刻を営業時間との時間差で定めるための入力欄Ａ５２と、非連動を設定したときの点灯・消灯時刻を個別に定めるための入力欄Ａ５３が現れるので、それぞれの入力欄に必要事項を選択して確定する。
【００５１】
例えば、図９に示すように、系統１の照明を先の営業時間スケジュール設定（図８参照）で定めた営業時間に連動させるときにはカーソルボタン３１５の押圧操作によってカーソルを入力欄Ａ５１に移動させ選択ボタン３１６の押圧操作によって「連動する」を選択し確定ボタン３１７の押圧操作によって確定する。ちなみに、連動させないときには「連動しない」を選択して確定する。
【００５２】
また、カーソルボタン３１５の押圧操作によってカーソルを入力欄Ａ５２に移動させ、連動する場合における庫内照明（ＬＡ１）の点灯時刻が営業開始時刻の３０分前で消灯時刻が営業終了時刻の４０分後となり、且つ、庫外照明（ＬＡ２）の点灯時刻が営業開始時刻の６０分前で消灯時刻が営業終了時刻の５０分後となるように選択ボタン３１６の押圧操作によって選択し確定ボタン３１７の押圧操作によって確定する。
【００５３】
さらに、カーソルボタン３１５の押圧操作によってカーソルを入力欄Ａ５３に移動させ、連動しない場合における庫内照明（ＬＡ１）の点灯・消灯時刻が９：００〜１２：００と１３：００〜２１：００となり、庫外照明（ＬＡ２）の点灯・消灯時刻が９：００〜１２：００と１３：００〜２１：００となるように選択ボタン３１６の押圧操作によって選択し確定ボタン３１７の押圧操作によって確定する。
【００５４】
他の系統の照明スケジュール設定を行う場合には「系統切換」の表示Ａ５４に対応した画面切換ボタン３１４を押圧して画面切り換えを行ってから、前記同様の作業を行えばよい。ここでは２系統に対して照明スケジュールを設定したが、３系統以上に分けた場合等も同様の作業を行う。
【００５５】
次に、集中制御装置ＣＣＵの操作パネルの画面切換ボタン３１２を再び押して、画面３１１を図１０に示す［照明スケジュール設定（ブロック毎）］の画面に切り換える。
【００５６】
図１０に示す［照明スケジュール設定（ブロック毎）］の画面には、先のブロック設定（図６参照）で定めたブロック毎に先の営業時間スケジュール設定（図８参照）で定めた営業時間に連動するか否かを選択して確定する入力欄Ａ６１と、連動を設定したときの点灯・消灯時刻を営業時間との時間差で定めるための入力欄Ａ６２と、非連動を設定したときの点灯・消灯時刻を個別に定めるための入力欄Ａ６３が現れるので、それぞれの入力欄に必要事項を選択して確定する。
【００５７】
例えば、図１０に示すように、系統１のブロック１の照明を先の営業時間スケジュール設定（図８参照）で定めた営業時間に連動させるときにはカーソルボタン３１５の押圧操作によってカーソルを入力欄Ａ６１に移動させ選択ボタン３１６の押圧操作によって「連動する」を選択し確定ボタン３１７の押圧操作によって確定する。ちなみに、連動させないときには「連動しない」を選択して確定する。
【００５８】
また、カーソルボタン３１５の押圧操作によってカーソルを入力欄Ａ６２に移動させ、連動する場合における庫内照明（ＬＡ１）の点灯時刻が営業開始時刻の３０分前で消灯時刻が営業終了時刻の４０分後となり、且つ、庫外照明（ＬＡ２）の点灯時刻が営業開始時刻の６０分前で消灯時刻が営業終了時刻の５０分後となるように選択ボタン３１６の押圧操作によって選択し確定ボタン３１７の押圧操作によって確定する。
【００５９】
さらに、カーソルボタン３１５の押圧操作によってカーソルを入力欄Ａ６３に移動させ、連動しない場合における庫内照明（ＬＡ１）の点灯・消灯時刻が９：００〜１２：００と１３：００〜２１：００となり、庫外照明（ＬＡ２）の点灯・消灯時刻が９：００〜１２：００と１３：００〜２１：００となるように選択ボタン３１６の押圧操作によって選択し確定ボタン３１７の押圧操作によって確定する。
【００６０】
他のブロックの照明スケジュール設定を行う場合には「ブロック切換」の表示Ａ６４に対応した画面切換ボタン３１３を押圧して画面切り換えを行ってから、前記同様の作業を行えばよい。また、他の系統のブロック毎の照明スケジュール設定を行う場合には「系統切換」の表示Ａ６５に対応した画面切換ボタン３１４を押圧して画面切り換えを行ってから、前記同様の作業を行えばよい。ここでは、２系統に対してブロック毎の照明スケジュールを設定したが、３系統以上に分けた場合等も同様の作業を行う。
【００６１】
以下に、図１１を参照して、図１〜図３を引用して説明した照明制御システムの照明制御方法について説明する。
【００６２】
図５〜図１０に例示した各種設定を総括すると、１０台のショーケース１０１〜１１０の系統及びブロックは、
・系統１：１０１〜１０８（主子機１０１，従子機１０２〜１０８）
・ブロック１：１０１〜１０６（主子機１０１，従子機１０２〜１０６）
・ブロック２：１０７，１０８（主子機１０７，従子機１０８）
・系統２：１０９，１１０（主子機１０９，従子機１１０）
・ブロック１：１０９，１１０（主子機１０９，従子機１１０）
・ブロック２：該当なし
に設定されており、照明単位は、
・系統１（１０１〜１０８）
・庫内照明（ＬＡ１）：系統単位
・庫外照明（ＬＡ２）：ブロック単位
・系統２（１０９，１１０）
・庫内照明（ＬＡ１）：系統単位
・庫外照明（ＬＡ２）：ブロック単位
に設定されている。
【００６３】
また、照明用基準時刻となる営業時間は、
・一括（共通）
・営業開始時刻が９：００で営業終了時刻が２０：００
に設定され、系統１と系統２の照明スケジュールは、
・営業時間に連動
・庫内照明（ＬＡ１）の点灯が営業開始時刻の３０分前（８：３０）で消灯が営業終了    時刻の４０分後（２０：４０）
・庫外照明（ＬＡ２）の点灯が営業開始時刻の６０分前（８：００）で消灯が営業終了    時刻の５０分後（２０：５０）
に設定され、系統１のブロック１及び２と系統２のブロック１の照明スケジュールは、
・営業時間に連動
・庫内照明（ＬＡ１）の点灯が営業開始時刻の３０分前（８：３０）で消灯が営業終了    時刻の４０分後（２０：４０）
・庫外照明（ＬＡ２）の点灯が営業開始時刻の６０分前（８：００）で消灯が営業終了    時刻の５０分後（２０：５０）
に設定されている。
【００６４】
これら設定データ（照明制御データ）は集中制御装置ＣＣＵから各ショーケース１０１〜１１０の端末制御装置ＴＣＵ１〜ＴＣＵ１０に送信され、各ショーケース１０１〜１１０の庫内照明器ＬＡ１と庫外照明器ＬＡ２の点灯・消灯は照明制御データに基づき端末制御装置ＴＣＵ１〜ＴＣＵ１０によって制御される。
【００６５】
図１１は前記設定に基づくショーケース照明の様子を示すもので、系統１に属する８台のショーケース１０１〜１０８並びに系統２に属する２台のショーケース１０９，１１０にあっては、庫内照明（ＬＡ１）は営業開始時刻９：００の３０分前である８：３０に点灯し、且つ、営業終了時刻２０：００の４０分後である２０：４０に消灯し、また、庫外照明（ＬＡ２）は営業開始時刻９：００の６０分前である８：００に点灯し、且つ、営業終了時刻２０：００の５０分後である２０：５０に消灯する。
【００６６】
尚、図５〜図１０に例示したものでは照明スケジュール設定（系統毎）と照明スケジュール設定（ブロック毎）を同じにしてあるが、各々の設定画面で時間差を変えれば消灯・点灯時刻を系統毎或いはブロック毎に変更することができることは言うまでもない。また、営業時間に非連動とすれば任意に設定した時刻に庫内照明（ＬＡ１）と庫外照明（ＬＡ２）を系統単位或いはブロック単位で点灯・消灯させることもできる。
【００６７】
前述の照明制御システムによれば、１０台のショーケース１０１〜１１０の照明器ＬＡ１，ＬＡ２の点灯・消灯時刻を営業開始・終了時刻との時間差で設定しているので、時間差を予め定めておけば、営業開始・終了時刻が変更された場合でも変更となった営業開始・終了時刻のみを入力するだけで各ショーケース１０１〜１１０の照明器ＬＡ１，ＬＡ２の点灯・消灯時刻を簡単且つ確実に変更することができる。つまり、従来のように、多種類の点灯・消灯時刻を予め設定する面倒や困難性がなく、多種類の点灯・消灯時刻の中から適当な点灯・消灯時刻を選択して確定する際に生じ得る選択ミスを回避できると共に、変更の度に営業開始・終了時刻に所定時間を加減算したものを点灯・消灯時刻として定める面倒もなく、加減算で生じたミスによって点灯・消灯に時刻ズレが生じることも回避できる。
【００６８】
また、前述の照明制御システムによれば、１０台のショーケース１０１〜１１０をその仕様や展示商品の種類や冷却温度等に基づいて系統分けすると共に各系統をさらにブロック分けし、前記の時間差設定を系統毎またはブロック毎に設定できるようになっているので、各ショーケース１０１〜１１０の設置レイアウトや展示商品の変更があった場合やショーケースの追加や撤去が生じた場合でも、集中制御装置ＣＣＵにおける系統設定及びブロック設定の内容を変更することによって柔軟に対応することができる。
【００６９】
さらに、前述の照明制御装置によれば、前記の時間差設定を庫内照明器ＬＡ１と庫外照明器ＬＡ２のそれぞれで設定、即ち、照明器系統毎に設定できるようになっているので、商品入れ替えや商品補充やレイアウト変更等の作業内容に応じた適切な照明、販促効果を高めるための照明等を、目的に応じて実施することができる。
【００７０】
尚、前記の照明制御システムでは、集中制御装置ＣＣＵによって各ショーケース１０１〜１１０の照明の点灯・消灯を手動操作できると共に、各ショーケース１０１〜１１０の端末制御装置ＴＣＵ１〜ＴＣＵ１０の操作パネルによっても各ショーケース１０１〜１１０の照明の点灯・消灯を手動操作できる。以下、この点について図１２〜図１７を参照して説明する。
【００７１】
各ショーケース１０１〜１１０の照明の点灯・消灯を集中制御装置ＣＣＵにおいて操作するときには、操作パネルの画面切換ボタン３１２を押して画面３１１を図１２に示す［手動照明操作］の画面に切り換える。
【００７２】
図１２に示す［手動照明操作］の画面には、先の照明系統設定（図５参照）で定めた系統毎，ブロック毎及びショーケース毎に今現在の照明状態が●（消灯）と○（点灯）で表示される共に、系統一括で点灯・消灯を操作するための入力欄Ａ７１と、ブロック一括で点灯・消灯を操作するための入力欄Ａ７２と、子機別（ショーケース別）で点灯・消灯を操作するための入力欄Ａ７３が現れるので、それぞれの入力欄に必要事項を選択して確定する。ちなみに、同一系統内で点灯と消灯が混在している場合、同一ブロック内で点灯と消灯が混在している場合には、各々の照明状態が△で表示される。
【００７３】
例えば、系統１に属するショーケース１０１〜１０８の照明を全て消灯させるときには、カーソルボタン３１５の押圧操作によってカーソルを入力欄Ａ７１に移動させ、選択ボタン３１６の押圧操作によって同欄Ａ７１に●を選択し確定ボタン３１７の押圧操作によって確定する（図１３参照）。
【００７４】
また、ブロック１に属するショーケース１０１〜１０６またはブロック２に属するショーケース１０８，１０９の照明を全て消灯させるときには、カーソルボタン３１５の押圧操作によってカーソルを入力欄Ａ７２に移動させ、選択ボタン３１６の押圧操作によって同欄Ａ７２に●を選択し確定ボタン３１７の押圧操作によって確定する（図１４参照）。
【００７５】
さらに、系統１に属するショーケース１０１〜１０８を個別に消灯させるときには、カーソルボタン３１５の押圧操作によってカーソルを入力欄Ａ７３に移動させ、選択ボタン３１６の押圧操作によって同欄Ａ７３に●を選択し確定ボタン３１７の押圧操作によって確定する（図１５参照）。
【００７６】
子機別の点灯・消灯操作は図５〜図７を用いて説明した系統設定，ブロック設定及び単位設定に準じており、例えば、系統１に関してはショーケース１０１が系統１並びにブロック１の主子機として設定され、且つ、系統１の庫内照明が系統単位で庫外照明がブロック単位で設定されているため、図１２に示す子機別の１０１を点灯から消灯、或いは、消灯から点灯に切り換えると、ショーケース１０１の庫内照明（ＬＡ１）と連動して系統１の他のショーケース１０２〜１０８の庫内照明（ＬＡ１）も点灯または消灯し、ショーケース１０１の庫外照明（ＬＡ２）と連動してブロック１の他のショーケース１０２〜１０６の庫外照明（ＬＡ２）も点灯または消灯する。
【００７７】
一方、各ショーケース１０１〜１１０の照明の点灯・消灯を端末制御装置ＴＣＵ１〜ＴＣＵ１０の操作パネルにおいて操作するときには、図４に示す操作パネルの照明スイッチ１１３を適宜押圧すればよい。
【００７８】
図５〜図７を用いて説明した系統設定，ブロック設定及び単位設定では、系統１に関してはショーケース１０１が系統１並びにブロック１の主子機として設定され、且つ、系統１の庫内照明が系統単位で庫外照明がブロック単位で設定されているため、図１６に示すように、系統１に属するショーケース１０１〜１０８のうち主子機として設定したショーケース１０１の庫内照明（ＬＡ１）を消灯すると、これと連動して系統１の他のショーケース１０２〜１０８の庫内照明（ＬＡ１）も消灯する。系統１に属するショーケース１０１〜１０８の庫内照明（ＬＡ１）を消灯から点灯に戻すときにはショーケース１０１の庫内照明（ＬＡ１）を消灯から点灯に戻せばよい。一方、ショーケース１０１の庫外照明（ＬＡ２）を消灯すると、これと連動してブロック１の他のショーケース１０２〜１０６の庫外照明（ＬＡ２）も消灯する。ブロック１に属するショーケース１０１〜１０６の庫外照明（ＬＡ２）を消灯から点灯に戻すときにはショーケース１０１の庫外照明（ＬＡ２）を消灯から点灯に戻せばよい。このときブロック２に属するショーケース１０７，１０８は前記の点灯・消灯操作の影響を受けない。
【００７９】
さらに、図５〜図７を用いて説明した系統設定，ブロック設定及び単位設定では、ショーケース１０２〜１０８は系統１の従子機として設定され、且つ、ショーケース１０２〜１０６はブロック１の従子機として設定されているため、各ショーケース１０２〜１０８の照明スイッチ１１３を操作することによって各々の庫内照明（ＬＡ１）並びに庫外照明（ＬＡ２）を個別に点灯・消灯させることができる。
【００８０】
例えば、図１７に示すように、系統１及びブロック１で従子機として設定されているショーケース１０２の照明スイッチ１１３を操作するとその庫内照明（ＬＡ１）並びに庫外照明（ＬＡ２）を単独で点灯・消灯する。このとき系統１に属する他のショーケース１０１，１０３〜１０８は前記の点灯・消灯操作の影響を受けない。
【００８１】
前述の照明制御システムによれば、集中制御装置ＣＣＵによって各ショーケース１０１〜１１０の照明の点灯・消灯を手動操作することができると共に、各ショーケース１０１〜１１０の端末制御装置ＴＣＵ１〜ＴＣＵ１０の操作パネルによっても各ショーケース１０１〜１１０の照明の点灯・消灯を手動操作することができるので、点灯・消灯操作を行う度に集中制御装置ＣＣＵが置かれた管理室等に戻る面倒がないことに加え、特定のショーケースに対して点灯・消灯操作が必要になったときでも当該ショーケースの照明器の点灯・消灯操作をその場で迅速に行うことができる。
【００８２】
以上の説明では、１０台のショーケースと２台の室外機と１台の集中制御装置とを含むものを照明制御システムとして例示したが、ショーケース及び室外機の数には特段の制限はなく、ショーケースを１１台以上または９以下としたり室外機を３台以上または１台としたシステム構成であっても前記同様の作用効果を得ることができる。勿論、ショーケースとして室外機に相当する構成を内蔵したものを併用した場合や、全てのショーケースとして室外機に相当する構成を内蔵したものを利用して室外機のないシステムを構成した場合でも前記同様の作用効果を得ることができる。
【００８３】
また、ショーケースとして出力系統な異なる２つの照明器ＬＡ１，ＬＡ２を備えるものを例示したが、単一の照明器系統を備えるショーケースや３以上の照明器系統を備えるショーケースを前記ショーケースの代わりに用いても、また、照明器系統が異なる種々タイプのショーケースを併用してシステムを構築した場合でも前記同様の作用効果を得ることができる。
【００８４】
さらに、照明制御の設定に係わる必要事項を集中制御装置ＣＣＵの表示部３０１ｃに表示される各種設定画面において入力するものを例示したが、各種設定データを記録したメモリーカードを別途作成し、その内容をメモリカードアダプタ３０１ｆを通じて集中制御装置ＣＣＵの制御部３０１ａに取り込むようにすれば、集中制御装置ＣＣＵにおける入力作業を省略することができる。また、他の店舗に同様の照明制御システムが存在する場合には、集中制御装置ＣＣＵの表示部３０１ｃに表示される各種設定画面において入力した内容をメモリカードアダプタ３０１ｆを通じてメモリーカードに記録すれば、このメモリーカードを他の店舗の照明制御システムに照明設定に利用することもできる。
【００８５】
さらに、照明器はその点灯継続時間と点灯回数に応じた寿命が存在するため、照明必要時に照明器が不意に消灯してしまうことを防止するには、照明器の寿命を推測してこのような問題を生じないようにすることが望ましい。例えば、照明器として蛍光灯を使用する場合には、集中制御装置ＣＣＵにて蛍光灯の寿命を、
推定寿命時間＝点灯継続時間＋｛点灯回数×１時間｝
または、
推定寿命時間＝点灯継続時間＋｛α×点灯回数｝・・・αは時間を単位とする重み付けのための係数
等の式を用いて個別に算出し、算出された推定寿命時間が予め設定した値を超えたときに蛍光灯交換対象が認識可能なメッセージを集中制御装置ＣＣＵの表示部３０１ｃに表示して交換を促すようにするとよい。
【図面の簡単な説明】
【００８６】
【図１】本発明に係る照明制御システムの全体構成を示す図である。
【図２】図１に示した集中制御装置と各室外機の端末制御装置と各ショーケースの端末制御装置の内部構成を示す図である。
【図３】集中制御装置に設けられた操作パネルを示す図である。
【図４】各ショーケースの端末制御装置に設けられた操作パネルを示す図である。
【図５】集中制御装置の表示部に表示された照明系統設定の画面を示す図である。
【図６】集中制御装置の表示部に表示された照明ブロック設定の画面を示す図である。
【図７】集中制御装置の表示部に表示された照明制御単位設定の画面を示す図である。
【図８】集中制御装置の表示部に表示された営業時間（週間）スケジュール設定の画面を示す図である。
【図９】集中制御装置の表示部に表示された照明スケジュール設定（系統毎）の画面を示す図である。
【図１０】集中制御装置の表示部に表示された照明スケジュール設定（ブロック毎）の画面を示す図である。
【図１１】図５〜図１０に例示した各種設定に基づくショーケース照明の一例を示す図である。
【図１２】集中制御装置の表示部に表示された手動照明操作の画面を示す図である。
【図１３】集中制御装置に依る系統一括の点灯・消灯操作の一例を示す図である。
【図１４】集中制御装置に依るブロック一括の点灯・消灯操作の一例を示す図である。
【図１５】集中制御装置に依る子機別の点灯・消灯操作の一例を示す図である。
【図１６】ショーケースに依る点灯・消灯操作の一例を示す図である。
【図１７】ショーケースに依る点灯・消灯操作の他の例を示す図である。
【符号の説明】
【００８７】
１０１〜１１０…ショーケース、ＴＣＵ１〜ＴＣＵ１０…端末制御装置、ＬＡ１…庫内照明器、ＬＡ２…庫外照明器、１０１ａ〜１１０ａ…制御部、１０１ｂ〜１１０ｂ…設定部、１０１ｃ〜１１０ｃ…表示部、１０１ｄ〜１１０ｄ…通信部、１０１ｅ〜１１０ｅ，１０１ｆ〜１１０ｆ…照明器駆動部、１１１…温度表示部、１１２…温度設定ボタン、１１３…照明スイッチ、ＣＣＵ…集中制御装置、３０１ａ…制御部、３０１ｂ…設定部、３０１ｃ…表示部、３０１ｅ…通信部、３１１…画面、３１２，３１３，３１４…画面切換ボタン、３１５…カーソルボタン、３１６…選択ボタン、３１７…確定ボタン、３１８…キャンセルボタン。
【図１】
2005214516.tif 000003
【図２】
2005214516.tif 000004
【図３】
2005214516.tif 000005
【図４】
2005214516.tif 000006
【図５】
2005214516.tif 000007
【図６】
2005214516.tif 000008
【図７】
2005214516.tif 000009
【図８】
2005214516.tif 000010
【図９】
2005214516.tif 000011
【図１０】
2005214516.tif 000012
【図１１】
2005214516.tif 000013
【図１２】
2005214516.tif 000014
【図１３】
2005214516.tif 000015
【図１４】
2005214516.tif 000016
【図１５】
2005214516.tif 000017
【図１６】
2005214516.tif 000018
【図１７】
2005214516.tif 000019